(57)【要約】【課題】配電線の端末の向きに関わりなく、絶縁処理しやすいようにした配電線用端末キャップの取付工具、及び、この取付工具に的確に保持される配電線用端末キャップを提供する。【解決手段】端末キャップ１０は、配電線の端末１の半周半分を嵌め入れる溝部１１ａを軸線方向先端側に有し、溝部１１ａを閉じる閉鎖部１１ｂを軸線方向基端側に有する一対の半割体１１と、軸線方向基端側で軸線方向に直交して一対の半割体１１を連結する連結部１２とを備えている。連結部１２が一対の半割体１１の揺動支点となり、一対の半割体１１の溝部１１ａが離間した状態から配電線の端末１の軸線方向に沿った閉じた状態とすることで、配電線の端末１を挟む。取付工具２０は、各半割体１１を挟む一対のクランプ部材２１と、一対のクランプ部材２１を軸支する軸支部２２と、間接活線工具を着脱するアタッチメント２３とを備えている。【選択図】図２
2014107942.tif 000002
【特許請求の範囲】
【請求項１】
配電線の端末の半周半分を嵌め入れる溝部を軸線方向先端側に有し、かつ、該溝部を閉じる閉鎖部を軸線方向基端側に有する一対の半割体と、軸線方向基端側で軸線方向に直交して一対の半割体を連結する連結部とを備え、
該連結部が一対の半割体の揺動支点となり、前記一対の半割体の各溝部が離間した状態から少なくとも配電線の端末の軸線方向に沿った閉じた状態とすることにより、配電線の端末を挟むことを特徴とする配電線用端末キャップ。
【請求項２】
前記溝部には、粘着部材が備えられていることを特徴とする請求項１に記載の配電線用端末キャップ。
【請求項３】
前記各半割体の先端部には、突出部が備えられていることを特徴とする請求項１又は２に記載の配電線用端末キャップ。
【請求項４】
請求項１ないし３のいずれか一項に記載の配電線用端末キャップを保持する配電線用端末キャップの取付工具であって、
前記各半割体を挟む一対のクランプ部材と、該一対のクランプ部材を軸支する軸支部と、間接活線工具を着脱するアタッチメントとを備え、
前記各クランプ部材は、姿勢変更可能に前記アタッチメントに取り付けられ、かつ、前記半割体の軸線方向に沿う一方の側部側に宛がわれる固定部材と、前記半割体の軸線方向に沿う他方の側部側に宛がわれ、かつ、軸線方向に直交する方向にスライドして前記固定部材に接離する可動部材とを備え、前記軸支部は、前記固定部材の軸線方向基端側及び可動部材の基端側を軸支していることを特徴とする配電線用端末キャップの取付工具。
【請求項５】
前記アタッチメント又はクランプ部材には、フックが備えられていることを特徴とする請求項４に記載の配電線用端末キャップの取付工具。
【発明の詳細な説明】
【技術分野】
【０００１】
本発明は、配電線の端末を絶縁処理するための配電線用端末キャップ、及び、この配電線用端末キャップを保持する配電線用端末キャップの取付工具に関する。
【背景技術】
【０００２】
架空配電線工事などにおいて、切断された配電線の端末は、配電線用端末キャップが被せられることで、絶縁処理されている。例えば、特許文献１には、配電線の端末に確実に取り付けることができるようにした配電線用端末キャップについての発明が記載されている。
【０００３】
この配電線用端末キャップは、図５に示すように、ほぼ半筒状とされた一対のキャップ部材１１０，１１０を備えている。一対のキャップ部材１１０，１１０は、軸線方向と平行な一方の側部が平行に向き合い、この一方の側部がヒンジ１１１によって連結され、開閉作動自在とされている。また、各キャップ部材１１０の他方の側部には、間接活線把持工具のヤットコ状の把持部（図示せず）を掛止する掛止部１１２が形成されている。また、各キャップ部材１１０の内面には、開口端から内方に向けてテーパ状の配電線用の嵌着溝１１３が形成されている。
【０００４】
このような配電線用端末キャップにあっては、全開状態の一対のキャップ部材１１０を手で所要の開き角度まで閉じた後、間接活線工具の把持部を掛止部１１２に掛止する。その後、ヒンジ１１１が配電線の端末１と平行になるように、配電線用端末キャップを配電線の端末１にアプローチする。
【０００５】
そして、配電線の端末１の半周半分を一方のキャップ部材１１０の嵌着溝１１３に嵌着し、ヒンジ１１１を揺動支点として、両キャップ部材１１０，１１０を閉じることで、他方のキャップ部材１１０の嵌着溝１１３に配電線の端末１の残り半周半分を嵌着する。このようにして、配電線の端末１は、配電施用端末キャップに覆われ、絶縁処理される。
【０００６】
なお、配電線用端末キャップから配電線の端末１が抜けないように、配電線用端末キャップと配電線とを粘着性ポリエチレンテープによって一体に巻き付ける場合がある。
【先行技術文献】
【特許文献】
【０００７】
【特許文献１】特開２００２−１７０３４号公報
【発明の概要】
【発明が解決しようとする課題】
【０００８】
間接活線把持工具は、配電線用端末キャップの掛止部１１２に掛止されるヤットコ状の把持部や、この把持部を先端部に固定する絶縁棒などを備えている。絶縁棒は、把持部に対して直角方向に延びている。したがって、間接活線把持工具の把持部が配電線用端末キャップの掛止部１１２を掛止した状態において、絶縁棒は、配電線の端末１の軸線方向に対して直角方向に延びる。配電線の端末１が傾斜していると、絶縁棒も傾斜し、絶縁処理しにくくなる。
【０００９】
そこで、本発明は、配電線の端末の向きに関わりなく、絶縁処理しやすいようにした配電線用端末キャップの取付工具、及び、この配電線用端末キャップの取付工具に的確に保持される配電線用端末キャップを提供することを課題とする。
【課題を解決するための手段】
【００１０】
本発明に係る配電線用端末キャップは、配電線の端末の半周半分を嵌め入れる溝部を軸線方向先端側に有し、かつ、該溝部を閉じる閉鎖部を軸線方向基端側に有する一対の半割体と、軸線方向基端側で軸線方向に直交して一対の半割体を連結する連結部とを備え、該連結部が一対の半割体の揺動支点となり、前記一対の半割体の各溝部が離間した状態から少なくとも配電線の端末の軸線方向に沿った閉じた状態とすることにより、配電線の端末を挟むことを特徴としている。
【００１１】
この配電線用端末キャップによれば、連結部が一対の半割体の軸線方向基端側で軸線方向に直交して連結していることにより、一対の半割体は基端側を揺動支点として開いた状態から閉じた状態となり、配電線の端末を挟むことで、配電線の端末を絶縁処理することができる。この配電線の端末は、閉鎖部によって、閉じられた一対の半割体の軸線方向基端側から突き出ることがない。
【００１２】
また、前記配電線用端末キャップの一態様として、前記溝部には、粘着部材が備えられている構成を採用することができる。この配電線用端末キャップによれば、一対の半割体に挟まれた配電線の端末が粘着部材によって接着され、一対の半割体によって形成される有底筒状体内から抜けないようにすることができる。
【００１３】
また、前記配電線用端末キャップの他態様として、前記各半割体の先端部には、突出部が備えられている構成を採用することができる。この配電線用端末キャップによれば、突出部を備えていることにより、この配電線用端末キャップを保持する取付工具がフックを備えている場合に、このフックに突出部を掛止し、配電線用端末キャップが取付工具から外れにくいようにすることができる。
【００１４】
また、本発明に係る配電線用端末キャップの取付工具は、前記本発明に係る配電線用端末キャップを保持する配電線用端末キャップの取付工具であって、前記各半割体を挟む一対のクランプ部材と、該一対のクランプ部材を軸支する軸支部と、間接活線工具を着脱するアタッチメントとを備え、前記各クランプ部材は、姿勢変更可能に前記アタッチメントに取り付けられ、かつ、前記半割体の軸線方向に沿う一方の側部側に宛がわれる固定部材と、前記半割体の軸線方向に沿う他方の側部側に宛がわれ、かつ、軸線方向に直交する方向にスライドして前記固定部材に接離する可動部材とを備え、前記軸支部は、前記固定部材の軸線方向基端側及び可動部材の基端側を軸支していることを特徴としている。
【００１５】
この配電線用端末キャップの取付工具によれば、一対のクランプ部材が軸支部を揺動支点として開閉自在とされていることで、前記本発明に係る配電線用端末キャップの一対の半割体を一対のクランプ部材が挟む。そして、各クランプ部材が固定部材と可動部材とを備え、可動部材が軸線方向に直交する方向にスライドすることにより、配電線の端末の外径、したがって、配電線用端末キャップの外径が種々多様であっても、一対のクランプ部材は、配電線用端末キャップをその外径に対応して挟むことができる。
【００１６】
そして、固定部材がアタッチメントに姿勢変更可能に取り付けられていることにより、固定部材をアタッチメントに対し、任意の方向に傾斜させることができる。固定部材は半割体の軸線方向に沿う一方の側部側に宛がわれ、可動部材が半割体の軸線方向に沿う他方の側部側に宛がわれているため、固定部材が任意の方向に傾斜することにより、可動部材及び半割体も任意の方向に傾斜する。したがって、固定部材及び可動部材に宛がわれた半割体を配電線の端末の傾斜した向きに一致させ、アタッチメントに装着された間接活線把持工具を作業しやすい任意の方向に傾斜させることができる。
【００１７】
また、前記配電線用端末キャップの取付工具の一態様として、前記アタッチメント又はクランプ部材には、フックが備えられている構成を採用することができる。この配電線用端末キャップの取付工具によれば、配電線用端末キャップの各半割体の先端部に突出部が備えられている場合において、この突出部をフックに掛止することで、配電線用端末キャップが配電線用端末キャップの取付工具から外れにくいようにし、そして、一対のクランプ部材の開閉に伴って一対の半割体を開閉可能とすることができる。
【発明の効果】
【００１８】
本発明によれば、配電線の端末の向きに関わりなく、絶縁処理しやすいようにした配電線用端末キャップの取付工具、及び、この配電線用端末キャップの取付工具に的確に保持される配電線用端末キャップを提供することができる。
【図面の簡単な説明】
【００１９】
【図１】図１は、本発明に係る配電線用端末キャップの一実施形態を示し、（ａ）は一対の半割体が開いている状態の概略斜視図、（ｂ）は配電線の端末を絶縁処理した状態の概略斜視図である。
【図２】図２は、本発明に係る配電線用端末キャップの取付工具の一実施形態を示し、（ａ）は一対のクランプ部材が閉じた状態の概略斜視図、（ｂ）は一方のクランプ部材、アタッチメント及び軸支部を実線で描き、他方のクランプ部材及びアタッチメントを仮想線で描いた概略斜視図である。
【図３】図３は、本発明に係る配電線用端末キャップ及び配電線用端末キャップの取付工具の一実施形態を示し、（ａ）は配電線の端末を挟む前の一部断面正面図、（ｂ）は配電線の端末を挟んだ状態の一部断面概略正面図である。
【図４】図４は、本発明に係る配電線用端末キャップ及び配電線用端末キャップの取付工具の一実施形態を示し、（ａ）は通常の太さの配電線の端末を挟んだ状態の一部断面概略側面図、（ｂ）は太めの配電線の端末を挟んだ状態の一部断面側面図である。
【図５】図５は、従来の配電線用端末キャップの一例を示す斜視図である。
【発明を実施するための形態】
【００２０】
本発明に係る配電線用端末キャップ（以下、「端末キャップ」という。）及び配電線用端末キャップの取付工具（以下、「取付工具」という。）の一実施形態について図１ないし図４を参照しながら説明する。
【００２１】
端末キャップ１０は、図１に示すように、一対の半割体１１，１１と、この一対の半割体１１，１１を連結する連結部１２とを備えている。各半割体１１は、配電線の半周半分を嵌め入れる溝部１１ａを軸線方向先端側に形成し、この溝部１１ａを閉じる閉鎖部１１ｂを軸線方向基端側に形成している。この実施形態における半割体１１の先端側は、樋状に形成され、基端側は、半円柱状に形成されている。ただし、半割体１１の外観形状は、曲面に限定することなく、角部を有していてもよい。
【００２２】
そして、閉鎖部１１ｂは、溝部１１ａに嵌め入れられた配電線の端末１を衝止し、配電線が突き抜けないように形成されている。図示した溝部１１ａと閉鎖部１１ｂは、ほぼ同じ長さに形成されているが、閉鎖部１１ｂを溝部１１ａよりも短くしてもよい。
【００２３】
そして、連結部１２は、軸線方向基端側で軸線方向に直交して一対の半割体１１を連結する。これにより、一対の半割体１１，１１は、基端側の連結部１２を揺動支点として蝶番のように開閉可能となる。
【００２４】
一対の半割体１１，１１は、閉じられることで、軸線方向に沿った有底筒状体を形成する。また、半割体１１の内面、すなわち溝部１１ａには、粘着部材１１ｃが備えられている。粘着部材１１ｃは、両面接着テープを溝部１１ａに貼り付けたものとしてもよいし、粘状の接着剤を溝部１１ａに塗布したものとしてもよい。
【００２５】
また、各半割体１１が閉じて衝合する面には、閉じた状態を維持するための凸部１３と凹部１４とが設けられている。例えば、一方の半割体１１には、軸線方向に沿う一方の側部に凸部１３と凹部１４が長さ方向に並ぶように設けられ、軸線方向に沿う他方の側部に凹部１４と凸部１３が並ぶように設けられ、他方の半割体１１には、前記凹部１４に嵌め込む凸部１３と前記凸部１３が入れられる凹部１４とが並ぶように設けられている。この凹部１４は、貫通穴とし、凸部１３は鉤形状にすることで、閉じられた半割体１１，１１が開きにくい、又は開かないようにすることができる。
【００２６】
さらに、各半割体１１の軸線方向先端側の頂部には、突出部１５が長さ方向に突出している。この突出部１５は、取付工具２０が端末キャップ１０を保持したときに、端末キャップ１０が取付工具２０から外れにくいようにするとともに、一対のクランプ部材２１，２１の開閉に伴って、一対の半割体１１，１１が開閉するようにするために設けられる。
【００２７】
この取付工具２０は、図２に示すように、各半割体１１を挟む一対のクランプ部材２１，２１と、この一対のクランプ部材２１，２１を連結する軸支部２２と、間接活線把持工具の把持部（図示せず）を着脱するアタッチメント２３，２３とを備えている。
【００２８】
各クランプ部材２１は、半割体１１の軸線方向に沿う一方の側部側に宛がう固定部材２１ａと、半割体１１の軸線方向に沿う他方の側部側に宛がう可動部材２１ｂとを備えている。そして、可動部材２１ｂは、軸線方向に直交する方向にスライドし、固定部材２１ａに接離する。
【００２９】
可動部材２１ｂが固定部材２１ａに接合した状態で、クランプ部材２１は、前記端末キャップ１０の半割体１１を嵌める溝を形成する。半割体１１が樋形状ないし半円柱形状であれば、クランプ部材２１も樋形状に形成される。可動部材２１ｂが固定部材２１ａから離間した状態では、可動部材２１ｂと固定部材２１ａとが半割体１１を挟む状態となる。
【００３０】
また、固定部材２１ａの基端部からは、軸線方向に固定側アーム部２４が突出している。この固定側アーム部２４は、可動部材２１ｂが接離しない側の側面から突出し、固定部材２１ａから最も離れた先端部において可動部材２１ｂ側に直角に折り曲げた折曲部（図示せず）を有している。
【００３１】
そして、可動部材２１ｂの基端部からは、軸線方向に可動側アーム部２５が突出している。この可動側アーム部２５は、固定部材２１ａに接離しない側の側面から突出し、可動部材２１ｂから最も離れた先端部において固定部材２１ａ側に直角に折り曲げた折曲部（図示せず）を有している。両アーム部２４，２５は、同じ長さとされているが、可動側アーム部２５の折曲部は、固定側アーム部２４の折曲部よりも長くされている。
【００３２】
そして、両アーム部２４，２５の折曲部は、軸支部２２に軸支される。軸支部２２は、筒状体とされ、筒状体内に両アーム部２４，２５の折曲部が回動自在に挿入されている。したがって、一対のクランプ部材２１は、軸支部２２を揺動支点として蝶番のように開閉可能とされている。
【００３３】
そして、可動側アーム部２５の折曲部は、可動部材２１ｂが固定部材２１ａから接離するスライドに伴って、軸支部２２内で長さ方向に移動可能とされている。ただし、可動部材２１ｂが固定部材２１ａから離れる方向にスライドしても、可動側アーム部２５の折曲部は、軸支部２２から抜け出ない長さを有している。
【００３４】
そして、各固定部材２１ａの先端部にアタッチメント２３が取り付けられている。アタッチメント２３は、固定部材２１ａに接合するベース部２３ａと、間接活線工具を装着するヘッド部２３ｂとを重ね合わせた二層とされている。
【００３５】
また、ベース部２３ａは、クランプ部材２１の可動部材２１ｂ側と固定部材２１ａ側とに分割されている。可動部材２１ｂ側のベース部２３ａ’は、可動部材２１ｂに接着されている。そして、図４に示すように、可動部材２１ｂ側のベース部２３ａ’とヘッド部２３ｂとが重なり合う面の一方に蟻溝２３ｃが形成され、他方に突起部２３ｄが形成され、蟻溝２３ｃと突起部２３ｄとが嵌り合うことで、可動部材２１ｂが固定部材２１ａに対して接離するスライド方向を規制し、また、ヘッド部２３ｂから離脱しないようにされている。
【００３６】
また、固定部材２１ａ側のベース部２３ａ”は、図２（ｂ）に示すように、固定部材２１ａに接着され、ピン２３ｅによってヘッド部２３ｂに連結されることで、固定部材２１ａが姿勢変更、すなわち、ヘッド部２３ｂに対して角度を変えることができるようにされている。このようにすることで、固定部材２１ａ及び可動部材２１ｂの傾きを配電線の傾きに一致させることができる。
【００３７】
そして、アタッチメント２３のベース部２３ａには、クランプ部材２１の内面に突出するフック２６が備えられている。フック２６は、図示したようなコ字形に限らず、Ｕ字形やＬ字形であってもよい。いずれにしても、このフック２６に前記端末キャップ１０の突出部１５が着脱自在に掛止される。
【００３８】
ここで、このような取付工具２０に保持された端末キャップ１０によって配電線の端末１を絶縁処理する方法について説明する。
【００３９】
当初、端末キャップ１０の各半割体１１は、図１（ａ）に示すように開いた状態となっている。なお、図１（ａ）では、両半割体１１，１１は９０°に開いているが、鋭角に開いていても、鈍角に開いていてもよい。
【００４０】
いずれにしても、取付工具２０が端末キャップ１０を保持する。すなわち、端末キャップ１０の一方の半割体１１に取付工具２０の一方のクランプ部材２１を宛がい、端末キャップ１０の他方の半割体１１に取付工具２０の他方のクランプ部材２１を宛がう。また、端末キャップ１０の突出部１５を取付工具２０のフック２６に掛止する。
【００４１】
この状態において、端末キャップ１０の外径に合わせて取付工具２０の可動部材２１ｂを調整する。図４（ａ）に示すように、クランプ部材２１の内面が端末キャップ１０の外周面に沿うときは、その状態で取付工具２０のアタッチメント２３に間接活線工具の把持部を装着する。
【００４２】
また、大きな外径の端末キャップ１０を装着する場合は、図４（ｂ）に示すように、可動部材２１ｂが固定部材２１ａから離れるようにスライドさせる。こうすることにより、可動部材２１ｂと固定部材２１ａとの間隔が大きくなり、クランプ部材２１の内面に大きな外径の端末キャップ１０を宛がうことができる。
【００４３】
なお、可動部材２１ｂがスライドするに際して、可動側アーム部２５の折曲部が軸支部２２内を抜ける方向に移動し、アタッチメント２３のベース部２３ａもヘッド部２３ｂに沿って移動する。このベース部２３ａとヘッド部２３ｂとに形成された蟻溝２３ｃ及び突起部２３ｄによって、ベース部２３ａは、ヘッド部２３ｂから離れることなく、スライド方向規制されながら移動する。
【００４４】
そして、アタッチメント２３のヘッダ部に間接活線工具の把持部を装着し、作業者の上方にある配電線の端末１の傾きに取付工具２０の傾きを一致させ、また、間接活線工具の絶縁棒を作業しやすい方向に向ける。固定部材２１ａがピン２３ｅによってヘッド部２３ｂに軸支されているため、固定部材２１ａの姿勢をヘッド部２３ｂに対して変えることができる。
【００４５】
また、固定部材２１ａと可動部材２１ｂは、両アーム部２４，２５の折曲部を介して軸支部２２に軸支され、さらに、可動部材２１ｂがアタッチメント２３のベースを介してヘッド部２３ｂに接続されているため、固定部材２１ａの姿勢を変えることで、可動部材２１ｂの姿勢も変えられる。
【００４６】
そして、端末キャップ１０の一対の半割体１１，１１が開いた状態で、図３（ａ）に示すように配電線の端末１にアプローチする。そして、間接活線工具によって一対のアタッチメント２３，２３の間隔を狭くすることで、図３（ｂ）に示すように、一対のクランプ部材２１及び一対の半割体１１を閉じた状態とする。また、端末キャップ１０の突出部１５が取付工具２０のフック２６に掛止しているため、取付工具２０が端末キャップ１０から外れることがない。
【００４７】
そして、取付工具２０は、両アーム部２４，２５の折曲部が軸支部２２に軸支されているため、一対のクランプ部材２１が軸支部２２を揺動支点として閉じた状態となる。この状態において、一対の溝部１１ａによって有底円筒状体が形成される。そして、各端末キャップ１０の半割体１１に形成された凹部１４内に凸部１３が入り込むことで有底円筒状態の形状が維持される。
【００４８】
そして、この有底筒状体内に配電線の端末１が挿し込まれた状態となる。また、半割体１１の溝部１１ａに備えられた粘着部材１１ｃが配電線の端末１に接着し、配電線の端末１は、有底筒状体内から抜け出ることがない。
【００４９】
したがって、この端末キャップ１０と配電線の端末１とは、粘着テープによって一体的に巻き付けられない。また、配電線の端末１の先端面は、端末キャップ１０の閉鎖部１１ｂに衝止することで、端末キャップ１０を貫通することがない。このように、この取付工具２０に保持された端末キャップ１０によって配電線の端末１を絶縁処理することができる。
【００５０】
その後、間接活線工具を配電線の端末１から離れる方向に移動する。すると、図１（ｂ）に示すように、突出部１５がフック２６から抜け、取付工具２０のクランプ部材２１も端末キャップ１０の半割体１１から外れる。そして、この取付工具２０は、別の配電線の端末１処理に使用される。
【００５１】
なお、本発明は、前記実施の形態に限定することなく、種々変更することができる。例えば、端末キャップ１０は、突出部１５を備えず、したがって、取付工具２０はフック２６を備えないようにしてもよい。また、端末キャップ１０の溝部１１ａに粘着部材１１ｃを備えず、一対の半割体１１が配電線の端末１を強固に挟むようにしてもよい。また、フック２６は、アタッチメント２３でなく、固定部材２１ａに設けてもよい。
【００５２】
また、取付工具２０は、アーム部２４，２５を備えず、クランプ部材２１の固定部材２１ａ及び可動部材２１ｂが直接、軸支部２２に軸支されてもよい。さらに、アーム部２４，２５を備えた取付工具２０であっても、可動側アーム部２５の折曲部が軸支部２２内でスライドせず、可動側アーム部２５の基端部で可動部材２１ｂがスライドするようにしてもよい。また、端末キャップ１０は、一対の半割体１１，１１が開くようにすることで、再利用可能とすることができる。
【符号の説明】
【００５３】
１………配電線の端末
１０……端末キャップ
１１……半割体
１１ａ…溝部
１１ｂ…閉鎖部
１１ｃ…粘着部材
１２……連結部
１５……突出部
２０……取付工具
２１……クランプ部材
２１ａ…固定部材
２１ｂ…可動部材
２２……軸支部
２３……アタッチメント
２６……フック
【図１】
2014107942.tif 000003
【図２】
2014107942.tif 000004
【図３】
2014107942.tif 000005
【図４】
2014107942.tif 000006
【図５】
2014107942.tif 000007